(57)【要約】 【課題】  捕集屑をネット内に確実に保持しておくことがきると共に、構造が簡便で、且つ、捕集屑の取り出しが容易に行える安価で使い勝手の良い洗濯機の屑捕集具を提供する。【解決手段】  有底の外ネット部とその内側の無底の内ネット部とにより構成される二重構造の屑捕集袋を有する洗濯機用の屑捕集具であって、開口部１ａより徐々に拡径し、大径部１ｂより徐々に縮径して成る有底のネット袋１と、前記大径部１ｂに当たる部分のネット内側に設けた内リング２と、ネットの外側より前記内リング２に着脱可能に係合される外リング３で構成される。【選択図】    図１
2006239130.tif 000002
【特許請求の範囲】
【請求項１】
有底の外ネット部とその内側の無底の内ネット部とにより構成される二重構造の屑捕集袋を有する洗濯機用の屑捕集具であって、
開口部より徐々に拡径し、大径部より徐々に縮径して成る有底のネット袋と、
前記大径部に当たる部分のネット内側に設けた内リングと、
ネットの外側より前記内リングに係脱自在に係合される外リングで構成されることを特徴とする洗濯機用の屑捕集具。
【請求項２】
前記外リングの円周部より中心に向けて腕部を設け、当該腕部の集結箇所に係止具取付部を設けたことを特徴とする請求項１に記載の洗濯機用の屑捕集具。
【発明の詳細な説明】
【技術分野】
【０００１】
本発明は、電気洗濯機に使用される屑捕集具で、特に、二重構造の屑捕集ネットを備えた洗濯機用の屑捕集具に関するものである。
【背景技術】
【０００２】
従来、この種の屑捕集具として、円錐形を成す洗濯屑の捕集用ネットの開口部にプラスチック製のリングを嵌め合わせてネットの開口状態を維持しつつ、吸盤やフック等で洗濯機の内壁に係止して使用したり、浮きにより洗濯槽に浮かせて使用するものが提案されている。
しかし、上記捕集用ネットが一重の網体で構成されているものは、水中の糸屑等をネット内に捕集しても、水流が反転したり停止したりする際の水流の変化で、一旦ネット内に捕集した屑がネット外に浮き出してしまい、ネット内に捕集屑を確実に保持しておくことができないといった不都合があった。
【０００３】
そこで、このような不都合を解消する目的で、捕集用ネットの開口部付近を外ネットと内ネットの二重ネット構造とし、水流の反転や停止でネット内より浮き出した屑がネット外に流出しないようにした屑捕集具が提案されている（特許文献１、特許文献２参照）。
【特許文献１】実開昭５１−３９３５６号公報
【特許文献２】実開昭６３−１６０７８８号公報
【発明の開示】
【発明が解決しようとする課題】
【０００４】
しかしながら、特許文献１、２の屑捕集具は、何れも有底の外ネットと両端を開口した無底の内ネットの２つの袋体を備え、両者の開口部を重ね合わせてリングに取り付けるといった複雑な構造であるためコスト高となる共に、袋内に捕集した屑を取り出す（清掃）際の屑捕集具の分解や組立作業も面倒であった。
【０００５】
本発明は、このような従来の屑捕集具の欠点に鑑み成されたもので、捕集屑をネット内に確実に保持しておくことがきると共に、構造が簡便で、且つ、捕集屑の取り出しが容易に行える安価で使い勝手の良い洗濯機の屑捕集具を提供することを目的としている。
【課題を解決するための手段】
【０００６】
すなわち、請求項１に記載の本発明は、有底の外ネット部とその内側の無底の内ネット部とにより構成される二重構造の屑捕集袋を有する洗濯機用の屑捕集具であって、開口部より徐々に拡径し、大径部より徐々に縮径して成る有底のネット袋と、前記大径部に当たる部分のネット内側に設けた内リングと、ネットの外側より前記内リングに係脱自在に係合される外リングで構成されることを特徴としている。
【０００７】
また、請求項２に記載の本発明は、請求項１に記載の洗濯機用の屑捕集具において、前記外リングの円周部より中心に向けて腕部を設け、当該腕部の集結箇所に係止具取付部を設けたことを特徴としている。
【発明の効果】
【０００８】
本発明によれば、ネット袋の大径部に当たる部分の内側に内リングを挿入してネットを折り返し、ネットの外側よりこの内リングに外リングを係合ることにより二重構造の屑捕集袋を構成できることから、構造は極めて簡便であり、安価であると共に、捕集屑の清掃のための分解や組立作業も容易に行える。
また、折り返し部分（内ネット部）が外リングの腕部の下方に位置する構成であって、使用時の内ネット部の浮き上がりがこの腕部により阻止されるため、ネット内に捕集された屑の流出を防止し、ネット内の屑を確実に保持・収容しておくことができる。
【発明を実施するための最良の形態】
【０００９】
以下、本発明の洗濯機用の屑捕集具の実施形態を図面に基づいて説明する。
図１は、本実施形態の屑捕集具の分解・組立を示し、図２は屑捕集具の外観を示し、図３は屑捕集具の内部構造を示している。
【００１０】
図１に示すように、本実施形態の屑捕集具は、有底のネット袋１と、内リング２と、外リング３と、浮き４より構成されている。
【００１１】
ネット袋１は、細かい網目状の１体の布体で成り、その形状は、開口部１ａより徐々に拡径し、大径部１ｂより徐々に縮径すると共に、端部において閉塞する紡錘状の袋体である。大径部１ｂは、開口部１ａより下方に全体長の１／４程度の部位に位置し、この部位が後述するネット折り返し部分となる。
【００１２】
内リング２は、ある程度の弾力性を有するプラスチック製の円状リング体で、上記ネット袋１の大径部１ｂに当たる部分に、ネット内側より装着されるものである。
【００１３】
外リング３は、上記内リング２とほぼ同径の硬質プラスチック製の円状リング体であって、このリング体の底部に上記内リング２の側壁２ａが収まる溝部５を有すると共に、円周部より中心に向けた複数（３本）の腕部６を備え、この腕部６の集結箇所に上記した浮き４の空気注入口４ａが嵌め込まれる係止具取付部７（小穴７）を備えている。
【００１４】
上記構成の屑捕集具を組み立てるには、先ず、ネット袋１の大径部１ｂに当たる部分の内側に内リング２を挿入する。内リング２は弾力性の有るプラスチック製のリング体であることから、容易に指で変形させてネット袋１の内側に押し込むことが可能であり、挿入後は自己の弾力性により元の形状に戻る。内リング２の外径はネット袋１の大径部１ｂより幾分大径とされ、ネットの伸縮性により内リング２を大径部１ｂにきつく密着・固定できる。
【００１５】
次ぎに、図３に示すように、ネット袋１の開口部１ａ側を、この内リング２の所で内側に折り返して開口部１ａを下向きにさせると共に、ネットの外側より、この内リング２の側壁２ａに外リング３の溝部５を嵌合し、間にネットを介在した状態で外リング３を内リング２に嵌着することにより、有底三角錐状の外ネット部１０ａと、内側の無底逆円錐台状の内ネット部１０ｂによる二重構造の屑捕集袋１０を構成できる。この状態で外リング３の小穴７に浮き４を取り付ければ組立は完了し、図２示す屑捕集具となる。
【００１６】
このように、本発明の屑捕集具は、二重ネットでありながら構造は極めて簡便で、安価であると共に、捕集屑の清掃のための分解・組立も容易に行える。
また、図２に示すように、内ネット部１０ｂが外リング３の腕部６の下方（内側）に位置する構造であり、使用時の水流による内ネット部１０ｂの浮き上がりがこの腕部６により阻止されるため、ネット内に捕集された屑が水とともに内ネット部１０ｂの開口部１ａから外へ流出するのを阻止することができ、よって、洗濯中、ネット内の捕集屑を確実に保持・収容しておくことができる。
【００１７】
以上、本実施形態では、屑捕集具の外リング３に浮き４を取り付けて洗濯槽に浮かせて使用するものについて説明したが、吸盤やクリップ等の付いた係止具を外リング３の係止具取付部７に取り付けて洗濯機の内壁に係止して使用することも勿論可能である。
【図面の簡単な説明】
【００１８】
【図１】本発明に係る洗濯機用の屑捕集具の分解斜視図。
【図２】同、洗濯機用の屑捕集具の外観斜視図。
【図３】同、洗濯機用の屑捕集具の断面図。
【符号の説明】
【００１９】
１  ネット袋
１ａ  開口部
１ｂ  大径部
２  内リング
３  外リング
６  腕部
７  係止具取付部（小穴）
１０  屑捕集袋
１０ｂ  内ネット部
１０ａ  外ネット部
【図１】
2006239130.tif 000003
【図２】
2006239130.tif 000004
【図３】
2006239130.tif 000005